(57)【要約】【課題】蓋側部材と位置決めタブとの接触を抑制できる蓄電装置を提供する。【解決手段】二次電池１０は、電極収納セパレータ２１と負極電極３１とが積層された電極組立体１２を備える。電極収納セパレータ２１は、袋状セパレータ２２と、袋状セパレータ２２に収納された正極電極２３とを備える。電極組立体１２は、正極電極２３の正極タブが積層された正極タブ群、及び負極電極３１の負極タブ３４が積層された負極タブ群３４ａを有するとともに、袋状セパレータ２２の第１縁部２２ｃと位置決めタブ３５の先端側縁部３５ａとが積層されて構成されるタブ側端面１２ａを有する。二次電池１０は、蓋１４とタブ側端面１２ａとの間に蓋側部材としてのタブ側絶縁部５３ａを有する絶縁カバー５０を備える。位置決めタブ３５の先端側縁部３５ａにおけるタブ側絶縁部５３ａと対向する部分は、絶縁性を有するテープ７１によって覆われている。【選択図】図４
2019207766.tif 000002
【特許請求の範囲】
【請求項１】
矩形状の第１の電極と、前記第１の電極と異なる極性の矩形状の第２の電極とが矩形状のセパレータによって絶縁された状態で積層された電極組立体と、前記電極組立体を収容するケース本体、及び前記ケース本体の開口部を閉塞する蓋を有するケースと、を備え、
前記第１の電極は、一縁部の一部から突出した第１のタブを有し、
前記第２の電極は、一縁部の一部から突出した第２のタブ及び位置決めタブを有し、
前記電極組立体は、前記第１のタブが積層された第１のタブ群、及び前記第２のタブが積層された第２のタブ群を有するとともに、前記セパレータの一縁部と前記位置決めタブの先端側縁部とが積層されて構成されるタブ側端面を有し、
前記蓋と前記タブ側端面との間に蓋側部材を備える蓄電装置であって、
前記位置決めタブの先端側縁部における前記蓋側部材と対向する部分は、絶縁性を有する保護部材によって覆われていることを特徴とする蓄電装置。
【請求項２】
前記保護部材は、前記第２の電極の一縁部に沿う方向から見て、前記位置決めタブにおける先端側縁部寄りの部分を湾曲させた状態で前記位置決めタブの先端側縁部を覆う請求項１に記載の蓄電装置。
【請求項３】
前記第１の電極、前記第２の電極、及び前記セパレータが積層される方向を積層方向としたとき、
前記第２のタブ群は、前記第２のタブが前記積層方向の一端側に寄せ集められて構成され、
前記位置決めタブにおける先端側縁部寄りの部分は、前記先端側縁部が前記積層方向の一端側に向かうように湾曲している請求項２に記載の蓄電装置。
【請求項４】
前記第１の電極、前記第２の電極、及び前記セパレータが積層される方向を積層方向としたとき、
前記電極組立体の積層方向の各端面は、前記第２の電極によって構成され、
前記保護部材は、前記タブ側端面を前記積層方向の一端側から他端側まで覆うとともに、前記積層方向における前記保護部材の各端部は、前記積層方向の各端面を構成する前記第２の電極の位置決めタブと前記ケース本体の内面との間に位置する請求項１〜請求項３の何れか一項に記載の蓄電装置。
【請求項５】
前記保護部材はテープである請求項１〜請求項４の何れか一項に記載の蓄電装置。
【発明の詳細な説明】
【技術分野】
【０００１】
本発明は、位置決めタブを有する電極を備える蓄電装置に関する。
【背景技術】
【０００２】
従来から、ＥＶ（Electric Vehicle）やＰＨＶ（Plug in Hybrid Vehicle）などの車両には、電動機などへの供給電力を蓄える蓄電装置としてリチウムイオン二次電池やニッケル水素二次電池などが搭載されている。二次電池は、電極組立体とケースとを備える。ケースは、電極組立体を収容するケース本体と、ケース本体の開口部を閉塞する蓋とを有する。
【０００３】
特許文献１に開示の二次電池において、電極組立体は、矩形状の電極収納セパレータと矩形状の負極電極とが交互に積層されて構成されている。電極収納セパレータは、袋状セパレータと、袋状セパレータに収納された正極電極とを備える。正極電極は、一縁部の一部から突出した正極タブを有する。負極電極は、一縁部の一部から突出した負極タブ及び位置決めタブを有する。電極組立体は、正極タブが積層された正極タブ群、及び負極タブが積層された負極タブ群を有するタブ側端面を備える。タブ側端面は、袋状セパレータの一縁部と位置決めタブの先端側縁部とが積層されて構成されている。
【０００４】
ところで、電極収納セパレータと負極電極とを積層して電極組立体を製造する際、電極収納セパレータと負極電極とは、負極電極の一縁部と他縁部とを最短距離で繋ぐ方向である高さ方向において、ずれた状態で積層されることがある。上述の位置決めタブは、電極収納セパレータと負極電極との積層ずれを検出するために用いられる。すなわち、高さ方向における袋状セパレータの一縁部と位置決めタブの先端側縁部とのずれ量により、積層ずれの有無を検出する。
【０００５】
また、特許文献２に開示されるように、二次電池には、釘刺し試験の際に、電極の一部がケース内で発生したガスとともにケース外へ放出されることを抑止するための遮蔽部材を備えるものがある。遮蔽部材は、電極組立体のタブ側端面と蓋の内面との間に配置される蓋側部材である。
【先行技術文献】
【特許文献】
【０００６】
【特許文献１】国際公開第２０１３／１４６５１３号
【特許文献２】特開２０１８−４９７３７号公報
【発明の概要】
【発明が解決しようとする課題】
【０００７】
特許文献１の二次電池に対して遮蔽部材を設ける場合、遮蔽部材と電極組立体のタブ側端面とが接触することがある。上述したように、高さ方向における袋状セパレータと負極電極との積層ずれを検出するため、電極組立体のタブ側端面は、袋状セパレータの一縁部と位置決めタブの先端側縁部とが積層されて構成されている。このため、遮蔽部材がタブ側端面に接触した際に位置決めタブが損傷する虞がある。位置決めタブが損傷するとケース内で異物となるため好ましくない。なお、セパレータは、位置決めタブよりも剛性が低いため、セパレータの一縁部は、遮蔽部材がタブ側端面に接触した際に撓む。よって、セパレータの一縁部は損傷しにくい。
【０００８】
本発明は、上記課題を解決するためになされたものであり、その目的は、蓋側部材と位置決めタブとの接触を抑制できる蓄電装置を提供することにある。
【課題を解決するための手段】
【０００９】
上記問題点を解決するための蓄電装置は、矩形状の第１の電極と、前記第１の電極と異なる極性の矩形状の第２の電極とが矩形状のセパレータによって絶縁された状態で積層された電極組立体と、前記電極組立体を収容するケース本体、及び前記ケース本体の開口部を閉塞する蓋を有するケースと、を備え、前記第１の電極は、一縁部の一部から突出した第１のタブを有し、前記第２の電極は、一縁部の一部から突出した第２のタブ及び位置決めタブを有し、前記電極組立体は、前記第１のタブが積層された第１のタブ群、及び前記第２のタブが積層された第２のタブ群を有するとともに、前記セパレータの一縁部と前記位置決めタブの先端側縁部とが積層されて構成されるタブ側端面を有し、前記蓋と前記タブ側端面との間に蓋側部材を備える蓄電装置であって、前記位置決めタブの先端側縁部における前記蓋側部材と対向する部分は、絶縁性を有する保護部材によって覆われていることを要旨とする。
【００１０】
第２の電極の一縁部と他縁部とを最短距離で繋ぐ方向を高さ方向としたとき、高さ方向における第２の電極とセパレータとの積層ずれを検出するため、電極組立体のタブ側端面は、セパレータの一縁部と第２の電極の位置決めタブの先端側縁部とが積層されて構成されている。蓋側部材は、電極組立体のタブ側端面に接触することがあるが、位置決めタブの先端側縁部は保護部材によって覆われているため、蓋側部材と位置決めタブとの接触を抑制できる。その結果、位置決めタブが損傷することによる異物の発生を抑制できる。
【００１１】
また、上記蓄電装置について、前記保護部材は、前記第２の電極の一縁部に沿う方向から見て、前記位置決めタブにおける先端側縁部寄りの部分を湾曲させた状態で前記位置決めタブの先端側縁部を覆うのが好ましい。
【００１２】
これによれば、高さ方向におけるタブ側端面の位置が低くなるため、高さ方向における蓋側部材とタブ側端面との距離が長くなる。よって、蓋側部材と位置決めタブとの接触をより抑制できる。
【００１３】
また、上記蓄電装置について、前記第１の電極、前記第２の電極、及び前記セパレータが積層される方向を積層方向としたとき、前記第２のタブ群は、前記第２のタブが前記積層方向の一端側に寄せ集められて構成され、前記位置決めタブにおける先端側縁部寄りの部分は、前記先端側縁部が前記積層方向の一端側に向かうように湾曲しているのが好ましい。
【００１４】
第２のタブが積層方向の一端側に寄せ集められる際に、第２の電極における第２のタブの周辺部分は、第２の電極の一縁部が積層方向の一端側に向かうように湾曲することがある。このとき、位置決めタブの先端側縁部が積層方向の他端側に向かうように、第２のタブが寄せ集められる向きとは反対向きに位置決めタブが湾曲していると、位置決めタブの基端側の部分に応力が集中しやすい。これに対し、位置決めタブの先端側縁部が積層方向の一端側に向かうように位置決めタブが湾曲している場合、位置決めタブの基端側の部分に生じる応力は低減される。よって、位置決めタブが破断することを抑制できる。
【００１５】
また、上記蓄電装置について、前記第１の電極、前記第２の電極、及び前記セパレータが積層される方向を積層方向としたとき、前記電極組立体の積層方向の各端面は、前記第２の電極によって構成され、前記保護部材は、前記タブ側端面を前記積層方向の一端側から他端側まで覆うとともに、前記積層方向における前記保護部材の各端部は、前記積層方向の各端面を構成する前記第２の電極の位置決めタブと前記ケース本体の内面との間に位置するのが好ましい。
【００１６】
これによれば、電極組立体の積層方向の両端面を構成する第２の電極の位置決めタブがケース本体側に撓んでケース本体に接触することが抑制される。よって、例えば、位置決めタブとケース本体との絶縁を確保できる。また、保護部材が設けられた電極組立体が絶縁フィルムによって覆われている場合、位置決めタブの先端側縁部が絶縁フィルムを突き破ることを抑制できる。
【００１７】
また、上記蓄電装置について、前記保護部材はテープであるのが好ましい。
これによれば、例えば、位置決めタブの先端側縁部を絶縁性のシートによって覆うとともに、シートをテープによって電極組立体に固定する場合と比較して、蓄電装置の部品点数を削減できる。また、電極組立体のタブ側端面に対する保護部材のずれを抑制できる。
【発明の効果】
【００１８】
本発明によれば、蓋側部材と位置決めタブとの接触を抑制できる。
【図面の簡単な説明】
【００１９】
【図１】実施形態の二次電池の分解斜視図。
【図２】電極組立体の分解斜視図。
【図３】電極組立体の平面図。
【図４】二次電池の断面図。
【発明を実施するための形態】
【００２０】
以下、蓄電装置を二次電池に具体化した一実施形態を図１〜図４にしたがって説明する。
図１に示すように、蓄電装置としての二次電池１０は、ケース１１と、ケース１１に収容された電極組立体１２とを備える。ケース１１は、直方体状のケース本体１３と、ケース本体１３の開口部１３ａを閉塞する矩形平板状の蓋１４とを有する。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００２１】
ケース本体１３は、矩形板状の底壁１３ｂと、底壁１３ｂの一対の短側縁部から立設された短側壁１３ｃと、底壁１３ｂの一対の長側縁部から立設された長側壁１３ｄとを有する。蓋１４において、ケース１１の内側に臨む面を内面１４ａとし、ケース１１の外側に臨む面を外面１４ｂとする。
【００２２】
図２及び図３に示すように、電極組立体１２は、複数の矩形状の電極収納セパレータ２１と、複数の矩形状の負極電極３１とを備える。電極組立体１２は、電極収納セパレータ２１と負極電極３１とを交互に積層した層状構造を有する。電極収納セパレータ２１と負極電極３１とが積層された方向を積層方向とする。
【００２３】
電極収納セパレータ２１は、袋状セパレータ２２と、袋状セパレータ２２に収納された第１の電極としての正極電極２３とを備える。正極電極２３は、矩形状の正極金属箔（例えばアルミニウム箔）２４と、正極金属箔２４の両面に存在する正極活物質層２５とを有する。正極電極２３は、一対の長辺に沿う縁部のうちの一方の縁部に一縁部としての第１縁部２３ａを備え、第１縁部２３ａの対辺となる他方の縁部に第２縁部２３ｂを備える。さらに、正極電極２３は、第１縁部２３ａと第２縁部２３ｂとを繋ぐ一対の短辺に沿う縁部のうちの一方の縁部に第３縁部２３ｃを備え、第３縁部２３ｃの対辺となる他方の縁部に第４縁部２３ｄを備える。正極電極２３は、第１縁部２３ａの一部から突出した矩形状の第１のタブとしての正極タブ２６を有する。正極タブ２６は、正極活物質層２５が存在せず、正極金属箔２４そのもので構成されている。
【００２４】
袋状セパレータ２２は、互いに対峙する２枚の矩形シート状のセパレータ部材２２ａ，２２ｂを含む。各セパレータ部材２２ａ，２２ｂは、絶縁性を有する樹脂製（例えばポリエチレン製）である。２枚のセパレータ部材２２ａ，２２ｂの外形は、同形状かつ同サイズである。各セパレータ部材２２ａ，２２ｂは、一対の長辺に沿う縁部のうちの一方の縁部に一縁部としての第１縁部２２ｃを備え、第１縁部２２ｃの対辺となる他方の縁部に第２縁部２２ｄを備える。また、各セパレータ部材２２ａ，２２ｂは、第１縁部２２ｃと第２縁部２２ｄとを繋ぐ一対の短辺に沿う縁部のうちの一方の縁部に第３縁部２２ｅを備え、第３縁部２２ｅの対辺となる他方の縁部に第４縁部２２ｆを備える。
【００２５】
袋状セパレータ２２の第１縁部２２ｃの長さは、正極電極２３の第１縁部２３ａの長さより長く、袋状セパレータ２２の第２縁部２２ｄの長さは、正極電極２３の第２縁部２３ｂの長さより長い。また、袋状セパレータ２２の第３縁部２２ｅの長さは、正極電極２３の第３縁部２３ｃの長さより長く、袋状セパレータ２２の第４縁部２２ｆの長さは、正極電極２３の第４縁部２３ｄの長さより長い。つまり、各セパレータ部材２２ａ，２２ｂの外形は、正極電極２３の外形より一回り大きい。各セパレータ部材２２ａ，２２ｂは、正極電極２３を挟んだ状態で正極電極２３の第１〜第４縁部２３ａ〜２３ｄからはみ出したはみ出し部２２１を第１〜第４縁部２２ｃ〜２２ｆに有する。袋状セパレータ２２は、２枚のセパレータ部材２２ａ，２２ｂのはみ出し部２２１同士を溶着して形成される。正極タブ２６の先端部は、袋状セパレータ２２の外部に突出する。
【００２６】
負極電極３１は、正極電極２３と異なる極性の第２の電極である。負極電極３１は、矩形状の負極金属箔（例えば銅箔）３２と、負極金属箔３２の両面に存在する負極活物質層３３とを有する。負極電極３１は、一対の長辺に沿う縁部のうちの一方の縁部に一縁部としての第１縁部３１ａを備え、第１縁部３１ａの対辺となる他方の縁部に他縁部としての第２縁部３１ｂを備える。第１縁部３１ａに沿う方向を幅方向とし、第１縁部３１ａと第２縁部３１ｂとを最短距離で繋ぐ方向を高さ方向とする。また、負極電極３１は、第１縁部３１ａと第２縁部３１ｂとを繋ぐ一対の短辺に沿う縁部のうちの一方の縁部に第３縁部３１ｃを備え、第３縁部３１ｃの対辺となる他方の縁部に第４縁部３１ｄを備える。
【００２７】
負極電極３１は、第１縁部３１ａの一部から突出した矩形状の第２のタブとしての負極タブ３４と、第１縁部３１ａの一部から突出した矩形状の位置決めタブ３５とを有する。負極タブ３４及び位置決めタブ３５は、負極活物質層３３が存在せず、負極金属箔３２そのもので構成されている。第１縁部３１ａからの負極タブ３４の突出量は、第１縁部３１ａからの位置決めタブ３５の突出量よりも多い。すなわち、第１縁部３１ａから負極タブ３４の先端側縁部３４１までの距離は、第１縁部３１ａから位置決めタブ３５の先端側縁部３５ａまでの距離よりも長い。負極タブ３４と位置決めタブ３５は、幅方向に並べて配置されている。本実施形態では、負極タブ３４と位置決めタブ３５とは、幅方向に一体化されている。位置決めタブ３５は、幅方向の中央側に位置し、負極タブ３４は、幅方向において第４縁部３１ｄ寄りに位置する。
【００２８】
負極電極３１の第１縁部３１ａの長さは、袋状セパレータ２２の第１縁部２２ｃの長さと等しく、負極電極３１の第２縁部３１ｂの長さは、袋状セパレータ２２の第２縁部２２ｄの長さと等しい。また、負極電極３１の第３縁部３１ｃの長さは、袋状セパレータ２２の第３縁部２２ｅよりも短く、負極電極３１の第４縁部３１ｄの長さは、袋状セパレータ２２の第４縁部２２ｆよりも短い。負極電極３１の位置決めタブ３５の先端側縁部３５ａから第２縁部３１ｂまでの長さは、袋状セパレータ２２の第３縁部２２ｅ及び第４縁部２２ｆのそれぞれの長さと等しい。
【００２９】
電極組立体１２は、各正極電極２３の正極タブ２６が積層された第１のタブ群としての正極タブ群２６ａと、各負極電極３１の負極タブ３４が積層された第２のタブ群としての負極タブ群３４ａとを備える。各負極電極３１の位置決めタブ３５は、幅方向において、正極タブ群２６ａと負極タブ群３４ａとの間に位置する。正極タブ群２６ａ及び負極タブ群３４ａはそれぞれ、正極タブ２６及び負極タブ３４の基端側の部位が積層方向の一端側で寄せ集められるとともに、積層方向の他端側に向けて屈曲された第１屈曲部Ａ１と、第１屈曲部Ａ１から積層方向に沿って延びる第１延在部Ａ２とを有する。また、正極タブ群２６ａ及び負極タブ群３４ａはそれぞれ、第１延在部Ａ２と繋がり、積層方向の他端側から一端側に向けて屈曲された第２屈曲部Ａ３と、第２屈曲部Ａ３から第１屈曲部Ａ１に向けて延びる第２延在部Ａ４とを有する。
【００３０】
電極組立体１２は、正極タブ群２６ａ及び負極タブ群３４ａが存在する端面にタブ側端面１２ａを備える。タブ側端面１２ａは、袋状セパレータ２２の第１縁部２２ｃと負極電極３１の位置決めタブ３５の先端側縁部３５ａとが積層されて構成されている。なお、幅方向において位置決めタブ３５が存在しない部分では、タブ側端面１２ａは、袋状セパレータ２２の第１縁部２２ｃのみが積層されて構成されている。電極組立体１２は、タブ側端面１２ａとは反対側の端面に底側端面１２ｂを備える。底側端面１２ｂは、袋状セパレータ２２の第２縁部２２ｄと負極電極３１の第２縁部３１ｂとが積層されて構成されている。
【００３１】
電極組立体１２は、タブ側端面１２ａ及び底側端面１２ｂと直交し、かつ積層方向に沿う端面に一対の第１側端面１２ｃを備える。一対の第１側端面１２ｃのうち、正極タブ群２６ａに近い一方の第１側端面１２ｃは、袋状セパレータ２２の第３縁部２２ｅと負極電極３１の第３縁部３１ｃとが積層されて構成され、負極タブ群３４ａに近い他方の第１側端面１２ｃは、袋状セパレータ２２の第４縁部２２ｆと負極電極３１の第４縁部３１ｄとが積層されて構成されている。電極組立体１２は、タブ側端面１２ａ及び底側端面１２ｂと直交し、かつ積層方向に対をなす端面に第２側端面１２ｄを備える。一対の第２側端面１２ｄのうち、一方の第２側端面１２ｄは、電極組立体１２において積層方向の一端に位置する負極電極３１によって構成され、他方の第２側端面１２ｄは、電極組立体１２において積層方向の他端に位置する負極電極３１によって構成されている。
【００３２】
ところで、電極収納セパレータ２１と負極電極３１とを積層して電極組立体１２を製造する際に、電極収納セパレータ２１と負極電極３１とは、高さ方向においてずれた状態で積層されることがある。上述の位置決めタブ３５は、高さ方向における電極収納セパレータ２１と負極電極３１との積層ずれを検出するために用いられる。すなわち、高さ方向における袋状セパレータ２２の第１縁部２２ｃと位置決めタブ３５の先端側縁部３５ａとのずれ量により、積層ずれの有無を検出する。このため、電極組立体１２のタブ側端面１２ａは、袋状セパレータ２２の第１縁部２２ｃと負極電極３１の位置決めタブ３５の先端側縁部３５ａとが積層されて構成されている。
【００３３】
図１に示すように、正極タブ群２６ａには、電極組立体１２と後述の正極端子構造１５とを電気的に接続するための矩形板状の正極の導電部材１７が接合されている。また、負極タブ群３４ａには、電極組立体１２と後述の負極端子構造１６とを電気的に接続するための矩形板状の負極の導電部材１７が接合されている。各導電部材１７は、蓋１４の内面１４ａに沿うようにして、蓋１４の内面１４ａと電極組立体１２のタブ側端面１２ａとの間に配置されている。導電部材１７の長手方向は、蓋１４の長手方向と一致する。各導電部材１７と蓋１４の内面１４ａとの間には、隙間が存在する。
【００３４】
次に、正極端子構造１５及び負極端子構造１６の説明をする。なお、正極端子構造１５と負極端子構造１６は基本的に同じ構成であるため、共通の部材については、同じ部材番号を使用して説明する。
【００３５】
正極端子構造１５は、蓋１４の長手方向の一端側に配置され、負極端子構造１６は、蓋１４の長手方向の他端側に配置される。正極端子構造１５及び負極端子構造１６はそれぞれ、蓋１４に固定された電極端子としての引出端子１８ａを備える。各引出端子１８ａは、電極組立体１２と電気を授受する。正極の引出端子１８ａは、正極の導電部材１７と電気的に接続され、負極の引出端子１８ａは、負極の導電部材１７と電気的に接続されている。各引出端子１８ａの一部は、蓋１４を貫通してケース１１の外部に突出する。正極端子構造１５及び負極端子構造１６はそれぞれ、ケース１１の外部で引出端子１８ａと電気的に接続された端子接合部材１８ｂと、端子接合部材１８ｂと電気的に接続された外部接続端子１８ｃとを備える。正極端子構造１５及び負極端子構造１６はそれぞれ、端子接合部材１８ｂを蓋１４から絶縁する外側絶縁部材１９ａを蓋１４の外面１４ｂに備え、導電部材１７の長手方向の一端側の部位を蓋１４から絶縁する内側絶縁部材１９ｂをケース１１の内部に備える。電極組立体１２、蓋１４、正極端子構造１５、負極端子構造１６、正極の導電部材１７、及び負極の導電部材１７は、蓋端子組立体Ｗとして一体化されている。
【００３６】
図１及び図４に示すように、二次電池１０は、絶縁カバー５０を備える。絶縁カバー５０は、蓋端子組立体Ｗに対し、積層方向の他端側から取り付けられ、電極組立体１２のタブ側端面１２ａと蓋１４の内面１４ａとの間に配置される。
【００３７】
絶縁カバー５０は、矩形板状のケース側部位５１を備える。ケース側部位５１は、正極タブ群２６ａ及び負極タブ群３４ａを積層方向の他端側から覆う。よって、ケース側部位５１は、積層方向の他端側において、正極タブ群２６ａ及び負極タブ群３４ａの第２屈曲部Ａ３と、ケース本体１３の一方の長側壁１３ｄとの間に介在する。絶縁カバー５０は、蓋１４の長手方向に延びるケース側部位５１の一対の長縁部のうち、蓋１４寄りの長縁部から積層方向の一端側に向けて延出した矩形板状の蓋側絶縁部５２を備える。蓋側絶縁部５２は、正極及び負極の導電部材１７の長手方向の他端側の部位と、蓋１４の内面１４ａとの間に介在し、正極及び負極の導電部材１７と蓋１４とを絶縁する。蓋側絶縁部５２の長手方向の一端部は、正極の導電部材１７に支持され、蓋側絶縁部５２の長手方向の他端部は、負極の導電部材１７に支持されている。
【００３８】
絶縁カバー５０は、ケース側部位５１の一対の長縁部のうち、電極組立体１２寄りの長縁部から積層方向の一端側に向けて延出した板状の電極側絶縁部５３を備える。電極側絶縁部５３は、蓋側絶縁部５２の厚さ方向から見たとき、蓋側絶縁部５２と重なる蓋側部材としての矩形状のタブ側絶縁部５３ａと、タブ側絶縁部５３ａの長手方向の一端側に位置する正極側絶縁部５３ｂと、タブ側絶縁部５３ａの長手方向の他端側に位置する負極側絶縁部５３ｃとを備える。ケース側部位５１の長縁部からのタブ側絶縁部５３ａの延出量は、ケース側部位５１の長縁部からの正極側絶縁部５３ｂ及び負極側絶縁部５３ｃの延出量よりも少ない。
【００３９】
タブ側絶縁部５３ａは、正極タブ群２６ａ及び負極タブ群３４ａを電極組立体１２側から覆い、正極タブ群２６ａ及び負極タブ群３４ａと電極組立体１２とを絶縁する。正極タブ群２６ａの第１延在部Ａ２の一部、第２屈曲部Ａ３、及び第２延在部Ａ４は、正極の導電部材１７とケース側部位５１とタブ側絶縁部５３ａとによって囲まれた空間に位置する。負極タブ群３４ａの第１延在部Ａ２の一部、第２屈曲部Ａ３、及び第２延在部Ａ４は、負極の導電部材１７とケース側部位５１とタブ側絶縁部５３ａとによって囲まれた空間に位置する。タブ側絶縁部５３ａの下面の一部は、電極組立体１２のタブ側端面１２ａを構成する位置決めタブ３５のうち、積層方向の他端側に位置する位置決めタブ３５の先端側縁部３５ａと対向する。正極側絶縁部５３ｂは、正極の導電部材１７の長手方向の一端側の部位を電極組立体１２側から覆い、正極の導電部材１７と電極組立体１２とを絶縁する。負極側絶縁部５３ｃは、負極の導電部材１７の長手方向の一端側の部位を電極組立体１２側から覆い、負極の導電部材１７と電極組立体１２とを絶縁する。
【００４０】
図３及び図４に示すように、二次電池１０は、絶縁性を有する保護部材としてのテープ７１を備える。テープ７１は、片面に粘着性を有する帯状のシートである。テープ７１の長手方向の寸法は、積層方向における電極組立体１２のタブ側端面１２ａの寸法よりも長く、テープ７１の短手方向の寸法は、幅方向における位置決めタブ３５の寸法よりも長い。テープ７１は、タブ側端面１２ａのうち、袋状セパレータ２２の第１縁部２２ｃと位置決めタブ３５の先端側縁部３５ａとが積層されて構成される部分を覆っている。すなわち、テープ７１は、負極電極３１の位置決めタブ３５の先端側縁部３５ａを蓋１４側から覆っている。
【００４１】
本実施形態では、テープ７１は、タブ側端面１２ａを積層方向の一端側から他端側まで覆っている。よって、テープ７１は、積層方向に並ぶ全ての位置決めタブ３５の先端側縁部３５ａを覆っている。テープ７１の長手方向の一端部は、電極組立体１２の一方の第２側端面１２ｄに貼着され、テープ７１の長手方向の他端部は、電極組立体１２の他方の第２側端面１２ｄに貼着される。また、テープ７１は、各位置決めタブ３５の幅方向全体を覆っている。さらに、テープ７１は、幅方向から見て、位置決めタブ３５の先端側縁部３５ａ及び袋状セパレータ２２の第１縁部２２ｃが積層方向の一端側に向かうように、位置決めタブ３５における先端側縁部３５ａ寄りの部分、及び袋状セパレータ２２における第１縁部２２ｃ寄りの部分を湾曲させた状態で電極組立体１２に貼着される。よって、位置決めタブ３５における先端側縁部３５ａ寄りの部分が湾曲する向きは、負極タブ３４が寄せ集められる向きと一致する。
【００４２】
図４に示すように、二次電池１０は、テープ７１が貼着された電極組立体１２を覆う絶縁フィルム７２（図１では図示せず）を備える。絶縁フィルム７２は、電極組立体１２のタブ側端面１２ａを除く５面を覆っている。絶縁フィルム７２は、電極組立体１２の底側端面１２ｂとケース本体１３の底壁１３ｂの内面とを絶縁する。また、絶縁フィルム７２は、電極組立体１２の各第１側端面１２ｃとケース本体１３の各短側壁１３ｃの内面とを絶縁するとともに、電極組立体１２の各第２側端面１２ｄとケース本体１３の各長側壁１３ｄの内面とを絶縁する。高さ方向において、絶縁フィルム７２の先端は、蓋１４の内面１４ａ近傍まで延びている。テープ７１の長手方向の一端部及び他端部は、第２側端面１２ｄを構成する負極電極３１の位置決めタブ３５と、第２側端面１２ｄを覆う絶縁フィルム７２の内面との間に位置する。
【００４３】
本実施形態の作用及び効果について説明する。
（１）高さ方向における電極収納セパレータ２１と負極電極３１との積層ずれを検出するため、電極組立体１２のタブ側端面１２ａは、袋状セパレータ２２の第１縁部２２ｃと負極電極３１の位置決めタブ３５の先端側縁部３５ａとが積層されて構成されている。絶縁カバー５０が取り付けられた蓋端子組立体Ｗをケース本体１３に収容する際、絶縁カバー５０のタブ側絶縁部５３ａは、電極組立体１２のタブ側端面１２ａに接触することがあるが、位置決めタブ３５の先端側縁部３５ａは、テープ７１によって覆われているため、タブ側絶縁部５３ａと位置決めタブ３５の先端側縁部３５ａとの接触を抑制できる。その結果、位置決めタブ３５が損傷することによる異物の発生を抑制できる。
【００４４】
（２）テープ７１は、幅方向から見て、位置決めタブ３５における先端側縁部３５ａ寄りの部分を湾曲させた状態で電極組立体１２に貼着される。このため、高さ方向におけるタブ側端面１２ａの位置は低くなり、高さ方向におけるタブ側絶縁部５３ａとタブ側端面１２ａとの距離が長くなる。よって、タブ側絶縁部５３ａと位置決めタブ３５との接触をより抑制できる。
【００４５】
（３）負極タブ３４が積層方向の一端側に寄せ集められる際に、負極電極３１における負極タブ３４の周辺部分は、負極電極３１の第１縁部３１ａが積層方向の一端側に向かうように湾曲することがある。このとき、位置決めタブ３５の先端側縁部３５ａが積層方向の他端側に向かうように、負極タブ３４が寄せ集められる向きとは反対向きに位置決めタブ３５が湾曲していると、位置決めタブ３５の基端側の部分に応力が集中しやすい。これに対し、本実施形態では、テープ７１は、位置決めタブ３５の先端側縁部３５ａが積層方向の一端側に向かうように位置決めタブ３５が湾曲した状態でタブ側端面１２ａに貼着されるため、位置決めタブ３５の基端側の部分に生じる応力は低減される。よって、位置決めタブ３５の破断を抑制できる。
【００４６】
（４）電極組立体１２の各第２側端面１２ｄは、負極電極３１によって構成されている。また、テープ７１は、タブ側端面１２ａを積層方向の一端側から他端側まで覆うとともに、テープ７１の長手方向の各端部は、第２側端面１２ｄを構成する負極電極３１の位置決めタブ３５と、絶縁フィルム７２との間に配置される。このため、第２側端面１２ｄを構成する負極電極３１の位置決めタブ３５がケース本体１３側に撓むことが規制され、位置決めタブ３５の先端側縁部３５ａが絶縁フィルム７２を突き破ることが抑制される。その結果、絶縁フィルム７２の破れによって生じる電極組立体１２とケース本体１３との短絡を抑制できる。
【００４７】
（５）位置決めタブ３５の先端側縁部３５ａを覆う保護部材は、テープ７１である。このため、例えば、位置決めタブ３５の先端側縁部３５ａを絶縁性のシートによって覆うとともに、シートをテープによって電極組立体１２に固定する場合と比較して、二次電池１０の部品点数を削減できる。また、テープ７１の粘着性により、タブ側端面１２ａに対するテープ７１のずれを抑制できる。
【００４８】
本実施形態は、以下のように変更して実施することができる。本実施形態及び以下の変更例は、技術的に矛盾しない範囲で互いに組み合わせて実施することができる。
○  第１の電極を負極電極とし、第１のタブを負極タブとするとともに、第２の電極を正極電極とし、第２のタブを正極タブとしてもよい。この場合、正極電極が位置決めタブを有する。
【００４９】
○  電極収納セパレータ２１において、正極活物質層２５は正極金属箔２４の片面に存在してもよい。
○  負極電極３１において、負極活物質層３３は負極金属箔３２の片面に存在してもよい。
【００５０】
○  位置決めタブ３５は、幅方向において負極タブ３４と一体化されず、別体であってもよい。また、位置決めタブ３５が負極タブ３４と一体化されていない場合、幅方向における位置決めタブ３５の位置は、正極タブ群２６ａと接触しない範囲で適宜変更してよい。位置決めタブ３５は、例えば、正極タブ群２６ａと当該正極タブ群２６ａに近い第１側端面１２ｃとの間に位置していてもよいし、負極タブ群３４ａと当該負極タブ群３４ａに近い第１側端面１２ｃとの間に位置していてもよい。
【００５１】
○  袋状セパレータ２２の第１縁部２２ｃに対する位置決めタブ３５の先端側縁部３５ａの高さ方向へのずれが所定の範囲内（例えば、±１ｍｍ）であれば、電極収納セパレータ２１と負極電極３１とは、ずれた状態で積層されていてもよい。
【００５２】
○  電極組立体１２は、複数の正極電極と複数の負極電極とをセパレータを介して交互に積層した構造であってもよい。この場合、例えば、負極電極及びセパレータの第３縁部の長さは、正極電極の第３縁部の長さよりも長く、負極電極及びセパレータの第４縁部の長さは、正極電極の第４縁部の長さよりも長い。また、正極電極は、第１縁部から突出する位置決めタブを有し、電極組立体１２のタブ側端面１２ａは、正極電極の位置決めタブの先端側縁部とセパレータの第１縁部が積層されることによって構成される。テープは、正極電極の位置決めタブの先端側縁部を覆う。
【００５３】
○  電極組立体１２の一対の第２側端面１２ｄのうち、一方の第２側端面１２ｄは、積層方向の一端側に位置する電極収納セパレータ２１によって構成されていてもよい。同様に、電極組立体１２の一対の第２側端面１２ｄのうち、他方の第２側端面１２ｄは、積層方向の他端側に位置する電極収納セパレータ２１によって構成されていてもよい。
【００５４】
○  位置決めタブ３５の先端側縁部３５ａを覆う保護部材は、テープ７１に限定されない。保護部材は、例えば、絶縁性のシートであってもよい。この場合、シートは、位置決めタブ３５の先端側縁部３５ａを覆う状態で、テープによって電極組立体１２に対して固定されるのが好ましい。
【００５５】
○  テープ７１は、積層方向に並ぶ複数の位置決めタブ３５のうち、絶縁カバー５０のタブ側絶縁部５３ａと対向する位置決めタブ３５の先端側縁部３５ａを覆っていれば、全ての位置決めタブ３５を覆っていなくてもよい。
【００５６】
○  テープ７１は、各位置決めタブ３５の幅方向において、絶縁カバー５０のタブ側絶縁部５３ａと対向する部分を覆っていれば、位置決めタブ３５の幅方向全体を覆っていなくてもよい。
【００５７】
○  テープ７１は、位置決めタブ３５の先端側縁部３５ａを蓋１４側から覆うように配置されていれば、電極組立体１２の一方の第２側端面１２ｄを構成する負極電極３１の位置決めタブ３５と、絶縁フィルム７２の内面との間に配置されていなくてもよい。同様に、テープ７１は、位置決めタブ３５の先端側縁部３５ａを蓋１４側から覆うように配置されていれば、電極組立体１２の他方の第２側端面１２ｄを構成する負極電極３１の位置決めタブ３５と、絶縁フィルム７２の内面との間に配置されていなくてもよい。
【００５８】
○  高さ方向における絶縁フィルム７２の先端の位置を適宜変更してもよい。例えば、高さ方向における絶縁フィルム７２の先端の位置は、負極電極３１の第１縁部３１ａと同じ位置でもよい。この場合、電極組立体１２の第２側端面１２ｄを構成する負極電極３１の位置決めタブ３５がケース本体１３側に撓んでケース本体１３の内面に接触すると、位置決めタブ３５とケース本体１３とが短絡する虞がある。よって、位置決めタブ３５とケース本体１３との間にテープ７１の長手方向の端部を介在させるのが好ましい。
【００５９】
○  蓋側部材は、テープ７１が無い場合に位置決めタブ３５の先端側縁部３５ａに接触し得る部材であれば、絶縁カバー５０のタブ側絶縁部５３ａに限定されない。また、蓋側部材は、完成時の二次電池１０において位置決めタブ３５の先端側縁部３５ａと接触し得るものだけでなく、二次電池１０の製造時に位置決めタブ３５の先端側縁部３５ａと接触し得るものも含む。蓋側部材は、絶縁カバー５０を構成する他の部分でもよいし、二次電池１０を構成する絶縁カバー５０以外の部材でもよい。
【００６０】
例えば、絶縁カバー５０が負極側絶縁部５３ｃを備えない構成であり、かつ幅方向において位置決めタブ３５が負極タブ群３４ａと当該負極タブ群３４ａに近い第１側端面１２ｃとの間に位置する場合、負極の導電部材１７が蓋側部材となる。この場合、複数の位置決めタブ３５のうち、負極の導電部材１７と対向する位置決めタブ３５の先端側縁部３５ａをテープ７１によって覆う。他の蓋側部材となり得る部材としては、例えば、蓋１４の内面１４ａが挙げられる。また、二次電池１０によっては、釘刺し試験の際に、電極の一部がケース内で発生したガスとともにケース外へ放出されることを抑止するための遮蔽部材を有するものがある。遮蔽部材は、蓋１４と電極組立体１２のタブ側端面１２ａとの間に配置され、蓋側部材となり得る。
【００６１】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００６２】
○  蓄電装置は、例えばキャパシタなど、二次電池以外の蓄電装置にも適用可能である。
上記実施形態及び変更例から把握できる技術的思想について記載する。
【００６３】
（イ）前記第１のタブ群及び前記第２のタブ群と、前記電極組立体のタブ側端面との間に配置されるタブ側絶縁部を有する絶縁カバーを備え、前記位置決めタブの先端側縁部と対向する前記蓋側部材は、前記タブ側絶縁部である蓄電装置。
【００６４】
（ロ）前記電極組立体と電気を授受する第１の電極端子と前記第１のタブ群とを電気的に接続する第１の導電部材と、前記電極組立体と電気を授受する第２の電極端子と前記第２のタブ群とを電気的に接続する第２の導電部材とを備え、前記位置決めタブの先端側縁部と対向する前記蓋側部材は、前記第１の導電部材又は前記第２の導電部材である蓄電装置。
【符号の説明】
【００６５】
１０…蓄電装置としての二次電池、１１…ケース、１２…電極組立体、１２ａ…タブ側端面、１２ｄ…端面としての第１側端面、１３…ケース本体、１３ａ…開口部、１４…蓋、２２ａ，２２ｂ…セパレータとしてのセパレータ部材、２２ｃ…一縁部としての第１縁部、２３…第１の電極としての正極電極、２３ａ…一縁部としての第１縁部、２６…第１のタブとしての正極タブ、２６ａ…第１のタブ群としての正極タブ群、３１…第２の電極としての負極電極、３１ａ…一縁部としての第１縁部、３４…第２のタブとしての負極タブ、３４ａ…第２のタブ群としての負極タブ群、３５…位置決めタブ、３５ａ…先端側縁部、５３ａ…蓋側部材としてのタブ側絶縁部、７１…保護部材としてのテープ。
【図１】
2019207766.tif 000003
【図２】
2019207766.tif 000004
【図３】
2019207766.tif 000005
【図４】
2019207766.tif 000006